(57)【特許請求の範囲】
【請求項１】
被乾燥面より、前記被乾燥面との当接範囲が狭い加圧空気の噴流で、前記被乾燥面を乾燥するように、加圧空気を噴射する空気噴出部と、
前記空気噴出部から噴射される噴流が、被乾燥面の略全面を順次掃引するように、噴流を噴射しながら前記空気噴出部を移動する移動手段と、を備え、
前記移動手段は、
前記空気噴出部の移動方向に対して所定の角度をなすように前記噴流の噴出方向を維持した状態で前記空気噴出部を移動する第１の移動手段と、前記移動する方向とは異なる方向に前記空気噴出部を移動する第２の移動手段と、を備え、
前記空気噴出部は、先端近傍に空気噴射穴を備えた棒状体であり、
前記第１の移動手段の移動方向は、前記棒状体の長手方向に沿った方向であり、
前記移動手段は、前記空気噴出部を一定方向に周期的に往復動させる周期移動と、前記周期移動を所定方向に向かって移動させる漸進移動を含み、噴流の当接範囲を被乾燥面の略全面に亘って掃引し、
前記移動手段の周期移動の方向を被乾燥面の左右方向とし、被乾燥面の中心より前方の所定位置から略中心に向けて漸進移動する第１のステップと、前記被乾燥面の中心より後方の所定位置から略中心に向けて漸進移動する第２のステップとを有し、前記第１のステップと第２のステップを実行する乾燥装置。
【請求項２】
請求項１に記載の乾燥装置であって、
移動手段を制御する制御部と、を更に備え、
前記制御部は前記移動手段を、
乾燥工程の最後に周期移動をさせながら被乾燥面の一端から中心を通って他端まで漸進移動させる乾燥装置。
【請求項３】
請求項１又は２に記載の乾燥装置であって、
空気を加熱する加熱手段と、前記加熱手段により加熱された温風を噴出する温風噴出口とを備えた乾燥装置。
【請求項４】
請求項１乃至３のいずれかに記載の乾燥装置と、着座可能な便座部と、被洗浄面にむけて洗浄水を噴出する洗浄水噴出手段とを備えた衛生洗浄装置。
【発明の詳細な説明】
【技術分野】
【０００１】
本発明は、空気を噴出させることにより濡れた表面を乾燥させる乾燥装置およびそれを備えた衛生洗浄装置に関する。
【背景技術】
【０００２】
人体の局部を洗浄する衛生洗浄装置においては、使用者の好みに応じた洗浄を実現すべく各種の機能が案出されてきた。使用者は、各種機能を用いた衛生洗浄装置を用いて局部洗浄を行い、トイレットペーパー等の紙により局部に付着した水滴の除去を行っていた。しかし、近年、トイレットペーパー等の紙の代替として、乾燥装置が提案されている（例えば、特許文献１参照）。図２１は従来の乾燥装置を備えた衛生洗浄装置の一例を示す模式的平面図。図２２はこの従来の衛生洗浄装置の模式的側断面図である。
【０００３】
図２１および図２２に示すように、衛生洗浄装置は、便器１上に配置された便座２、便蓋３、衛生洗浄装置の本体ケース４および９は水洗タンク（ロータンク）を含んで構成されている。
【０００４】
本体ケース４には、温風吹出装置５からの温風を吹出す温風吹出口７と、人体局部に温水を噴射する洗浄水噴射ノズル８と、この洗浄水噴射ノズル８に温水を供給する洗浄水送水用ポンプ１１および温水タンク１２と、空気圧縮機１３で圧縮した空気を溜める高圧空気溜め１４と、高圧空気溜め１４の出口を開閉する電磁弁１５を内蔵している。
【０００５】
便座２には、内部に設けた空洞１６と、この空洞１６内の空気を噴出する複数の孔よりなる空気噴出ノズル１８を有し、電磁弁１５と空洞１６を高圧ホース１７で接続している。
【０００６】
人体１０が便座２に着座し用便後、洗浄操作を行うと、洗浄水送水用ポンプ１１が稼働し、温水タンク１２を通して洗浄水噴射ノズル８より温水が被洗浄面に噴射され、これにより被洗浄面を洗浄する。洗浄後乾燥操作により空気圧縮機１３が稼働し、高圧空気溜め１４、電磁弁１５、高圧ホース１７、空洞１６および空気噴出ノズル１８を通して高圧空気が被洗浄面に噴出し、被洗浄面に付着した水滴を吹き飛ばして飛散または拡散させる。つぎに温風吹出装置５を稼働させ風路６を通して温風吹出口７より温風を被洗浄面に吹き出し被洗浄面の乾燥を行う。
【０００７】
前記従来の構成では、複数の孔で構成された空気噴出ノズル１８から高圧空気溜め１４の圧縮空気を開放することで短時間に被洗浄面の水滴を吹き飛ばすもので、高圧空気溜め１４と空気圧縮機１３とを本体ケース４内に収納していた。
【０００８】
ところで、従来例のように一度に大量の空気を噴出させるためには、空気圧縮機１３か高圧空気溜め１４を大きくする必要があった。そこで空気圧縮機１３の容量を小さくして高圧空気溜め１４を大きくすると、高圧空気溜め１４を収納するために本体ケース４が大型化してしまう。また、空気圧縮機１３の容量を大きくすると振動騒音が大きくなるだけでなく、コストアップの原因にもなってしまう。さらに高圧空気溜めを空気圧縮機から離して本体ケース外に設置すると目立つのでトイレの外観が悪くなってしまう。
【０００９】
これら課題を解消する方法として、空気噴出のノズル孔を単一にして一度に噴出される空気の量を減少させれば、装置の小型化は可能となる。しかし、この方法では空気の噴出面積も少なくなるため、広い範囲が濡れる被洗浄面の水滴を充分に落とすことができなくなってしまう課題があり、実用化には問題があった。
【００１０】
また、一定方向からの空気噴流では被洗浄面から引き剥がされなかった水滴が、空気噴流の滞留部に移動してしまい、被洗浄面に付着したまま残ってしまう。さらに、空気噴流により水滴が周囲に拡散してしまい、濡れ面積を広げてしまうなどの課題があった。
【００１１】
また、コンパクトで振動や騒音の少ないノズル装置を実現すべく、３次元偏向手段を用いて所定軌跡の移動を行うことを目的とし、空気ノズル装置を提案している（特許文献２）。特許文献２では、空気ノズルを、空気の噴出と連動して、空気の噴出方向に対して前後２次元的に偏向すると共に左右２次元的に偏向することで、該空気ノズルを三次元的に偏向させ、又は、空気ノズルの吐出口を順次左又は右回りに三次元的に偏向させ、人体に向かって空気の噴出方向を三次元的に偏向することによって噴出空気を所定軌跡で移動させながら吐出させる噴出空気三次元偏向手段を有するとしている。そして、人体の風を受ける面積に対して空気ノズル装置の吐出口面積を大幅に小さくすることができるため、所定の風量で噴出速度を大幅にアップすることができ、短時間で局部付近に付着した水滴を除去することができるとしている。
【００１２】
しかしながら、上記構成についての記載では明確ではないが、空気の噴出方向を３次元的に偏向するものとみうけられ、この記載にもとづき、空気ノズルの噴出方向の偏向で、実際の乾燥動作を行う場合、噴出空気の当たる角度と被乾燥面との関係に注目すると、洗浄後の水滴のうち周辺部の部分の水滴はさらに、周辺に吹き飛ばされて拡散し、濡れた部分の面積が広がることで、被乾燥面が大きくなり、逆に乾燥に時間がかかるという問題があった。
【００１３】
【特許文献１】特開昭５８−２１８５３１号公報
【特許文献２】特許第３７９９８５０号公報
【発明の開示】
【発明が解決しようとする課題】
【００１４】
上述したように、特許文献１においても特許文献２においても、乾燥装置を大型化することなく短時間で効率よく被乾燥面を乾燥するのは極めて困難であった。
本発明は、前記実情に鑑みてなされたもので本発明の目的は、乾燥装置を大型化することなく短時間で効率よく被乾燥面を乾燥できる乾燥装置およびそれを備えた衛生洗浄装置を提供することである。
【課題を解決するための手段】
【００１５】
本発明に係る乾燥装置は、被乾燥面を乾燥する乾燥装置であって、被乾燥面より当接範囲が狭い空気噴流を被乾燥面に対し前後左右の方向に移動する移動手段を備え、被乾燥面に付着した水滴をこの被乾燥面の中心部に集めながら吹き飛ばすように移動するもので、中心部に集まった水滴を集中的に吹き飛ばすことができる。
また、本発明に係る乾燥装置は、被乾燥面より当接範囲が狭い空気噴流を被乾燥面に対し前後左右の方向に移動する移動手段を備え、空気噴流を被乾燥面に噴射する際に移動手段は、空気噴流の前後動作と左右動作を連動させて噴流の当接範囲を周回させながら中心部に移動させるもので、被乾燥面に対して空気噴流を広範囲に当てることができる。
すなわち、本発明の乾燥装置は、被乾燥面より、前記被乾燥面との当接範囲が狭い加圧空気の噴流で、前記被乾燥面を乾燥するように、加圧空気を噴射する空気噴出部と、前記空気噴出部から噴射される噴流が、被乾燥面の略全面を順次掃引するように、噴流を噴射しながら前記空気噴出部を移動する移動手段と、を備え、前記移動手段が、前記空気噴出部の移動方向に対して所定の角度をなすように前記噴流の噴出方向を維持した状態で前記空気噴出部を移動する第１の移動手段と、前記移動する方向とは異なる方向に前記空気噴出部を移動する第２の移動手段と、を備え、前記空気噴出部は、先端近傍に空気噴射穴を備えた棒状体であり、前記第１の移動手段の移動方向は、前記棒状体の長手方向に沿った方向であり、前記移動手段は、前記空気噴出部を一定方向に周期的に往復動させる周期移動と、前記周期移動を所定方向に向かって移動させる漸進移動を含み、噴流の当接範囲を被乾燥面の略全面に亘って掃引し、前記移動手段の周期移動の方向を被乾燥面の左右方向とし、被乾燥面の中心より前方の所定位置から略中心に向けて漸進移動する第１のステップと、前記被乾燥面の中心より後方の所定位置から略中心に向けて漸進移動する第２のステップとを有し、前記第１のステップと第２のステップを実行することを特徴とする。
例えば、この第1の移動手段は、前記空気噴出部の進退方向に移動し、前記第2の移動手段は、前記噴流の噴出方向を偏向する。
【発明の効果】
【００１６】
本発明によれば、少ない空気噴流でも広範囲に被乾燥面に付着する水滴を拡散することなく吹き飛ばすことができるので、乾燥装置を大型化することなく短時間で効率よく被乾燥面を乾燥することができる。
【発明を実施するための最良の形態】
【００１７】
以下本発明の実施の形態について説明する。
説明に先立ち、本発明の概念について説明する。
【００１８】
まず、本発明の乾燥装置は、被乾燥面より、前記被乾燥面との当接範囲が狭い加圧空気の噴流で、前記被乾燥面を乾燥するように、加圧空気を噴射する空気噴出部と、前記空気噴出部から噴射される噴流が、被乾燥面の略全面を順次掃引するように、噴流を噴射しながら前記空気噴出部を移動する移動手段とを備え、前記移動手段が、前記空気噴出部の移動方向に対して所定の角度をなすように前記噴流の噴出方向を維持した状態で、前記空気噴出部を移動する第１の移動手段と、前記移動する方向とは異なる方向に前記空気噴出部を移動する第２の移動手段とを備える。
【００１９】
この構成によれば、空気噴出部の移動方向に対して所定の角度をなすように噴流の噴出方向を維持した状態で、加圧空気を被乾燥面を順次移動しながら被乾燥面全体に吹付けることができる。
【００２０】
被乾燥面に付着した水滴は、より風速の大きな噴流を当てる方が吹き飛ばされやすくなるが、水滴と空気噴出部の距離が離れると水滴に当たる噴流の風速が極端に低下して水滴を吹き飛ばせなくなる。そのために水滴と空気噴出部の距離はなるべく近づける方がよい。そこで本発明のように噴流の噴出方向を維持して空気噴出部を移動することにより、被乾燥面と空気噴出部を近距離に維持して噴流を当てることができるので、被乾燥面に付着する水滴を効率よく吹き飛ばすことができる。
【００２１】
また、噴流を被乾燥面上で掃引するように移動させることによって、被乾燥面に付着する水滴を任意の方向に移動させながら吹き飛ばすことができるようになる、例えば被乾燥面の中心に水滴を集めて効率よく吹き飛ばすことができる。
特に、本願発明においては被乾燥面より噴流の当接範囲を細く絞った加圧空気を被乾燥面の略全面に亘って順次移動させるので、細く絞られた空気噴流でも広範囲の水滴を移動させることができ、乾燥装置の小型化が可能である。
【００２２】
また本発明は、上記乾燥装置において、前記第1の移動手段が、前記空気噴出部の進退方向に移動するものを含む。
この構成により、空気噴出部の進退方向は、被乾燥面すなわち臀部の前後方向の中心線に沿う方向となる。したがって空気噴出部からの噴流は、臀部の中心線上を所定の角度を維持した状態で、順次移動しながら被乾燥面全体に吹付けられるので、被乾燥面で最も濡れ易い臀部の中心線上を、被乾燥面と空気噴出部を近距離に維持しながら噴流を当てることができるので、被乾燥面に付着する水滴を効率よく飛散することができる。
【００２３】
また本発明は、上記乾燥装置において、前記第2の移動手段は、前記噴流の噴出方向を偏向するものを含む。
この構成により、第２の移動手段における空気噴出部の移動は、空気噴出部の噴出角度を周期的に偏向するだけの小さな動作で、噴流が被乾燥面に全面に移動できるので、乾燥装置が小型化できる。
【００２４】
また本発明は、上記乾燥装置において、第２の移動手段は、噴流の噴出方向を維持した状態で第１の移動手段とは異なる方向に移動するものを含む。
この構成によれば、第１の移動手段と第２の移動手段の双方ともに空気噴出部の噴流の噴出方向維持した状態で、加圧空気を、被乾燥面を順次移動しながら被乾燥面全体に吹付けるので、被乾燥面全面にわたって、被乾燥面と空気噴出部を近距離に維持して噴流を当てることができる。したがって被乾燥面に付着する水滴を効率よく飛散または水滴を任意に移動させることができる。
【００２５】
また本発明は、上記乾燥装置において、第２の移動手段は、前記空気噴出部を回動して噴流を偏向するものを含む。
この構成により、第２の移動手段における空気噴出部の移動は、空気噴出部を周期的に回動するだけの小さな動作で、噴流が被乾燥面の全面に移動できるので、第２の移動手段が簡単な構成となり乾燥装置の小型化をはかることができる。
【００２６】
また本発明は、上記乾燥装置において、第２の移動手段は、前記空気噴出部から噴出する噴流の噴出方向を揺動するものを含む。
この構成により、第２の移動手段における空気噴出部の移動は、空気噴出部をからの噴流の噴出方向を周期的に揺動するだけの動作、例えば流体素子による自励偏向を用いるなどにより、噴流が被乾燥面の全面に移動できるので、第２の移動手段が簡単な構成となり乾燥装置の小型化をはかることができる。
【００２７】
また本発明は、上記乾燥装置において、前記第２の移動手段は、前記第１の移動手段による移動方向にほぼ直交する方向に、前記空気噴出部を移動するものを含む。
この構成によれば、第１の移動手段と第２の移動手段との空気噴出部の移動の組合せが２軸の２次元的移動となり位置座標が分かり易く、移動制御が簡略化される。そのため空気噴出部の組合せ移動もスムーズとなるので被乾燥面に付着する水滴除去や水滴の任意方向への移動が容易となる。
【００２８】
また本発明は、上記乾燥装置において、前記第２の移動手段は、前記空気噴出部を円弧状に移動するものを含む。
この構成により、第２の移動手段は、例えば一点を支点とした扇状の円弧往復動作を周期的に行なうようにするものである。この動作により第１の移動手段と第２の移動手段の双方ともに空気噴出部の噴流の噴出方向維持した状態で、加圧空気を被乾燥面を順次移動しながら被乾燥面全体に吹付ける動作が、比較的簡単な構成で実現できる。そしてこの構成により、被乾燥面に付着する水滴を効率よく飛散または任意に移動させることができる。
【００２９】
また本発明は、上記乾燥装置において、前記空気噴出部は、先端近傍に空気噴射穴を備えた棒状体であり、前記第1の移動手段の移動方向は、前記棒状体の長手方向に沿った方向であるものを含む。
この構成により、第１の移動手段の移動方向に棒状体の長手方向を一致させることにより、棒状体の移動における投影面積を最小限にすることができる。したがって乾燥装置本体から空気噴出部を被乾燥面に対して進退させる場合に、最小限度の移動軌跡で行なうことができる。すなわち空気噴出部の出し入れがスムーズに行うことができる。
【００３０】
また本発明は、上記乾燥装置において、前記移動手段は、前記被乾燥面に付着する水滴を空気噴出部から噴出される噴流により被乾燥面の中心部に集めながら吹き飛ばすように前記空気噴出部からの噴流を掃引するものを含む。
これは、被乾燥面に付着した水滴に加圧空気の噴流を当てる場合に、噴流がダイレクトに当たれば水滴は吹き飛びやすいが、水滴と噴流の位置がずれると空気の流れに沿って水滴が移動するだけで、吹き飛ばないことが多い。被乾燥面に吹付けられる加圧空気の噴流は、被乾燥面に沿って全面に広がる性質がある。そこで被乾燥面に広がって付着した水滴に対して、空気噴流の当てる位置を変えることにより、被乾燥面に沿う空気の流れ方向を変えて、水滴が被乾燥面の中心部に集まるようにするものである。
これにより、分散する小さな水滴は強い空気噴流を広範囲に当てないと吹き飛ばないが、寄り集まった大きな水滴は少ない空気噴流でも簡単に吹き飛ばすことができる。しかも、被乾燥面の中心部に水滴が集まれば空気噴流を狭い範囲に集中して当てることができるので、効率的に水滴が吹き飛ばすことができる。
【００３１】
また本発明は、上記乾燥装置において、前記移動手段は、前記空気噴出部を１定方向に周期的に往復動させる周期移動と、前記周期移動を所定方向に向かって移動させる漸進移動を含み、噴流の当接範囲を被乾燥面の略全面に亘って掃引するものを含む。
これは、被乾燥面に付着した水滴は１回の周期移動で周期移動の軌跡と同様の線状あるいは帯状に吹飛ばされ、斬新移動しながら周期移動を繰り返すことにより吹飛ばされ範囲が順次拡大し、最終的に被乾燥面全面の付着水を吹飛ばすものである。
この構成により、例えば、移動範囲および移動角度範囲を徐々に小さくして空気噴流の当接範囲を被乾燥面の中心部に近づけていくことで、空気噴流を止めることなく、連続して、被乾燥面に広がった水滴を中心部に集めながら吹き飛ばすことができる。したがって、動作に無駄がなくなり乾燥時間を短縮できる。
【００３２】
また本発明は、上記乾燥装置において、前記移動手段は、被乾燥面の中心を中心とする円周の略接線上を周期移動させながら、被乾燥面の外周より被乾燥面の略中心に向けて前記空気噴出部を漸進移動させるものを含む。
この構成により、空気噴流が被乾燥面に付着する水滴の外周部の接線方向に周期移動しながら徐々に中心に向けて近づいてくるので、水滴が被乾燥面の中心方向に移動し、外側に拡散されて濡れ面積が広がることがないので、より効率よく被乾燥面の水滴を集めながら掃引することができる。
【００３３】
また本発明は、上記乾燥装置において、前記第１の移動手段は漸進移動とし、前記第２の移動手段は周期移動するようにしたものを含む。
この構成により、例えば漸進移動方向を前後方向とすると、被乾燥面に付着した水滴を前側または後側から中心部に容易に集めることができるので、より効率よく被乾燥面の水滴を除去することができる。
【００３４】
また本発明は、上記乾燥装置において、前記第１の移動手段は周期移動とし、前記第２の移動手段は漸進移動するようにしたものを含む。
この構成により、例えば漸進移動方向を左右方向とすると、被乾燥面に付着した水滴を左側または右側から中心部に容易に集めることができるので、より効率よく被乾燥面の水滴を除去することができる。
【００３５】
また本発明は、上記乾燥装置において、前記移動手段の周期移動の方向を被乾燥面の左右方向とし、被乾燥面の中心より前方の所定位置から略中心に向けて漸進移動する第１のステップと、前記被乾燥面の中心より後方の所定位置から略中心に向けて漸進移動する第２のステップとを有し、前記第１のステップと第２のステップを実行するものを含む。
この構成により、例えば、移動範囲および移動角度範囲を徐々に小さくして空気噴流の当接範囲を被乾燥面の中心部に近づけてゆくことで、空気噴流を止めることなく、連続して、被乾燥面に広がった水滴を中心部に集めながら吹き飛ばすことができる。したがって、動作に無駄がなくなり乾燥時間を短縮できる。
【００３６】
また本発明は、上記乾燥装置において、移動手段の周期移動の方向を被乾燥面の前後方向とし、被乾燥面の中心より左右どちらか一方の所定位置から略中心に向けて漸進移動する第１のステップと、前記被乾燥面の中心より左右の他方の所定位置から略中心に向けて漸進移動する第２のステップとを有し、前記第１のステップと第２のステップを実行するものを含む。
この構成により、被乾燥面の中心から前方に付着する水滴は前記第１ステップにより中心方向に移動し、被乾燥面の中心から後方に付着する水滴は前記第２ステップにより中心方向に移動するので、被乾燥面に付着する水滴全体を前方および後方から中心部に集めることができる。
【００３７】
また本発明は、上記乾燥装置において、移動手段の周期移動の方向を被乾燥面の左右方向とし、被乾燥面の中心より前方の所定位置から略中心に向けて漸進移動する第１のステップと、前記被乾燥面の中心より後方の所定位置から略中心に向けて漸進移動する第２のステップと、移動手段の周期移動の方向を前後方向とし、被乾燥面の中心より左右どちらか一方の所定位置から略中心に向けて漸進移動する第３のステップと、前記被乾燥面の中心より左右の他方の所定位置から略中心に向けて漸進移動する第４のステップとを有し、前記第１のステップから第４のステップを実行するものを含む。
この構成により、被乾燥面の中心より前方に付着する水滴は前記第１ステップにより中心方向に移動し、被乾燥面の中心より後方に付着する水滴は前記第２ステップにより中心方向に移動し、被乾燥面の中心より左右どちらか一方に付着する水滴は前記第３ステップにより中心方向に移動し、被乾燥面の中心より左右もう一方に付着する水滴は前記第４ステップによる駆動で中心方向に移動するので、被乾燥面に付着する水滴全体を前後左右方向から中心部に集めることができる。
【００３８】
また本発明は、上記乾燥装置において、前記移動手段は、噴流の当接範囲を被乾燥面の周辺部より周回しながら中心部に移動させるものを含む。
この構成により、被乾燥面に付着した水滴に加圧空気の噴流を当てる場合に、噴流が水滴にダイレクト又は近傍に当たれば水滴は吹き飛びやすい。そこで被乾燥面に広がって付着した水滴に対して空気噴流の当てる位置を周回させながら中心に移動させることにより、水滴が被乾燥面の中心部に集まるようにするものである。
これにより被乾燥面の中心部に集まる水滴に集中して噴流を当てることができるので、効率的に水滴が吹き飛ばせ、乾燥装置の小型化が可能である。
【００３９】
また本発明は、上記乾燥装置において、前記移動手段は、被乾燥面の中心を中心とする円周の略接線で構成する多角形上を周回しながら被乾燥面の中央部に移動させるものを含む。
この構成により移動手段は、噴流の当接範囲を被乾燥面の中心を中心とする円周の略接線で構成する略多角形上を周回させながら被乾燥面の中心部に移動させることにより、噴流の当接範囲が被乾燥面の外周部から多角形上を移動しながら徐々に多角形の形状が小さくなりながら中心に向けて近づいてくるので、水滴が被乾燥面の中心方向に移動し、外側に拡散されて濡れ面積が広がることがない。しかも、被乾燥面の中心部に水滴が集まれば空気噴流を狭い範囲に集中して当てることができるので、効率的に水滴を吹き飛ばすことができる。
【００４０】
また本発明は、上記乾燥装置において、前記移動手段は、被乾燥面の中心を中心とする略円周上を周回しながら被乾燥面の中心部に移動させるものを含む。
この構成により、これにより、空気噴流が被乾燥面に付着する水滴の外周部の接線方向に周期移動しながら徐々に中心に向けて近づいてくるので、水滴が被乾燥面の中心方向に移動し、外側に拡散されて濡れ面積が広がることがない。
【００４１】
また本発明は、上記乾燥装置において、移動手段を制御する制御部を備え、前記制御部は前記移動手段を、乾燥工程の最後に周期移動をさせながら被乾燥面の一端から中心を通って他端まで漸進移動させるものを含む。
この構成により、事前の乾燥工程において残留する水滴を確実の除去できる。また、被乾燥面の中心部に水滴を集めた後で、被乾燥面の一端から中心を通って他端まで漸進移動させれば水滴は簡単に除去できる。
【００４２】
また本発明は、上記乾燥装置において、空気を加熱する加熱手段と、前記加熱手段により加熱された温風を噴出する温風噴出口とを備えたものを含む。
この構成により、空気噴出部により被乾燥面に加圧空気を噴射し水滴を吹飛ばすのに加え、加熱手段により加熱した温風を被乾燥面に向かって吹出すことにより、被乾燥面がより短時間で効率よく乾燥できる。また、温風により被乾燥面の水分が除去できるで、乾燥後の快適性が向上する。さらに加圧空気の噴流による冷風感が防止できる。
【００４３】
また本発明は、上記乾燥装置およびこれを備えた衛生洗浄装置において、着座可能な便座部と、被洗浄面にむけて洗浄水を噴出する洗浄水噴出手段とを備えたものを含む。
このように洗浄水噴出手段と乾燥装置を備えることにより、被洗浄面と被乾燥面の位置関係を最適に設定できるので、効率の良い乾燥が可能となる。また洗浄から乾燥に到る動作を自動化することも可能となり、使い勝手がよくなる。
【００４４】
なお洗浄水噴出手段と空気噴出部は１本のノズルで構成してもよいし、独立した２本のノズルで構成し、それぞれ独立して進退可能に構成してもよい。
【００４５】
また、被乾燥面より当接範囲が狭い加圧空気の噴流で乾燥する乾燥装置であって、加圧空気を噴射する空気噴出部と、前記空気噴出部からの噴流の当接範囲を被乾燥面の略全面に亘って順次移動させる移動手段とを備え、前記移動手段は前記被乾燥面に付着する水滴を前記空気噴出部の噴流により被乾燥面の中心部に集めながら吹き飛ばすように移動させるようにしてもよい。
【００４６】
これは、被乾燥面に付着した水滴に加圧空気の噴流を当てる場合に、噴流がダイレクトに当たれば水滴は吹き飛びやすいが、水滴と噴流の位置がずれると空気の流れに沿って水滴が移動するだけで、吹き飛ばないことが多い。被乾燥面に吹付けられる加圧空気の噴流は、被乾燥面に沿って全面に広がる性質がある。そこで被乾燥面に広がって付着した水滴に対して、空気噴流の当てる位置を変えることにより、被乾燥面に沿う空気の流れる方向を変えて、水滴が被乾燥面の中心部に集まるようにするものである。
【００４７】
これにより、分散する小さな水滴は強い空気噴流を広範囲に当てないと吹き飛ばないが、寄り集まった大きな水滴は少ない空気噴流でも簡単に吹き飛ばすことができる。しかも、被乾燥面の中心部に水滴が集まれば空気噴流を狭い範囲に集中して当てることができるので、効率的に水滴が吹き飛ばせる。特に、本発明においては被乾燥面より噴流の当接範囲を細く絞った加圧空気を被乾燥面の略全面に亘って順次移動させるので、細く絞られた空気噴流でも広範囲の水滴を移動させることができ、乾燥装置の小型化が可能である。
【００４８】
また、上記移動手段を、略一定方向に周期的に往復動させる周期移動と、前記周期移動を所定方向に向かって移動させる漸進移動を組合せ、噴流の当接範囲を被乾燥面の略全面に亘って移動させるようにしてもよい。これにより、被乾燥面に付着した水滴は１回の周期移動で周期移動の軌跡と同様の線状あるいは帯状に吹飛ばされ、斬新移動しながら周期移動を繰り返すことにより吹飛ばされ範囲が順次拡大し、最終的に被乾燥面全面の付着水を吹飛ばすことができるものである。 
【００４９】
さらにまた、上記移動手段を、被乾燥面の中心を中心とする円周の略接線上を周期移動させながら、被乾燥面の外周より被乾燥面の略中心に向けて漸進移動させるようにしてもよい。これにより、空気噴流が被乾燥面に付着する水滴の外周部の接線方向に周期移動しながら徐々に中心に向けて近づいてくるので、水滴が被乾燥面の中心方向に移動し、外側に拡散されて濡れ面積が広がることがない。
【００５０】
さらにまた、上記移動手段の周期移動の方向を乾燥装置の左右方向とし、漸進移動の方向を前後方向することにより、被乾燥面に付着した水滴を前側または後側から中心部に容易に集めることができる。
【００５１】
さらにまた、上記移動手段の周期移動の方向を乾燥装置の前後方向とし、漸進移動の方向を左右方向とすることにより、被乾燥面に付着した水滴を左側または右側から中心部に容易に集めることができる。
【００５２】
さらにまた、上記移動手段の周期移動の方向を乾燥手段の左右方向とし、被乾燥面の中心より前方の所定位置から略中心に向けて漸進移動する第１のステップと、前記被乾燥面の中心より後方の所定位置から中心に向けて漸進移動する第２のステップとを有し、前記第１のステップと第２のステップを組合せて実行するものである。これにより、被乾燥面の中心から前方に付着する水滴は前記第１ステップにより中心方向に移動し、被乾燥面の中心から後方に付着する水滴は前記第２ステップにより中心方向に移動するので、被乾燥面に付着する水滴全体を前方および後方から中心部に集めることができる。
【００５３】
さらにまた、上記移動手段の周期移動の方向を乾燥装置の前後方向とし、被乾燥面の中心より左右どちらか一方の所定位置から中心に向けて漸進する第１のステップと、前記被乾燥面の中心より左右もう一方の所定位置から中心に向けて漸進移動する第２のステップとを有し、前記第１のステップと第２のステップを組合せて実行するものである。これにより、被乾燥面の中心より左右どちらか一方側に付着する水滴は前記第１ステップにより中心方向に移動し、他方側に付着する水滴は前記第２ステップにより中心方向に移動するので、被乾燥面に付着する水滴全体を左右から中心部に集めることができる。
【００５４】
さらにまた、上記移動手段の周期移動の方向を乾燥装置の左右方向とし、被乾燥面の中心より前方の所定位置から中心に向けて漸進移動する第１のステップと、前記被乾燥面の中心より後方の所定位置から中心に向けて漸進移動第２のステップと、移動手段の周期移動の方向を前後方向とし、被乾燥面の中心より左右どちらか一方の所定位置から中心に向けて漸進移動する第３のステップと、前記被乾燥面の中心より左右もう一方の所定位置から中心に向けて漸進移動する第４のステップとを有し、前記第１のステップから第４のステップまでを組合せて実行するものである。これにより、被乾燥面の中心より前方に付着する水滴は前記第１ステップにより中心方向に移動し、被乾燥面の中心より後方に付着する水滴は前記第２ステップにより中心方向に移動し、被乾燥面の中心より左右どちらか一方に付着する水滴は前記第３ステップにより中心方向に移動し、被乾燥面の中心より左右もう一方に付着する水滴は前記第４ステップによる駆動で中心方向に移動するので、被乾燥面に付着する水滴全体を前後左右方向から中心部に集めることができる。
【００５５】
さらにまた、上記移動手段の周期移動の方向を乾燥装置の左右方向とし、被乾燥面の中心より前方の所定位置より中心に向けて漸進移動を開始し、前記中心を通過し、前記中心より後方の所定位置まで漸進移動するステップを組合せることにより、被乾燥面に付着する水滴全体に空気噴流を当てることができるので水滴を吹き飛ばすことができる。また、被乾燥面の水滴を中心部に集めた後にこのステップを行えばより水滴を吹き飛ばしやすくなる。
【００５６】
さらにまた、上記移動手段は、空気噴出部を移動または／および回動する駆動手段とすることにより、空気噴出部を前後左右いずれかの方向に移動する駆動手段と、空気噴出部を略垂直方向あるいは略水平方向に回動する駆動手段を単独あるいは組合せて使用することで、噴流の当接範囲を移動させる移動手段の周期運動と漸進運動を実施することが可能となり、被乾燥面全面に当接範囲を移動することができる。
【００５７】
さらにまた、上記駆動手段を空気噴出部からの噴流を左右方向に揺動する揺動手段と、空気噴出部を前後方向に往復動させる進退手段を備えた構成とすることにより、噴流の当接範囲を揺動手段により左右方向に移動し、進退手段により前後方向に移動することが可能となり、被乾燥面の全面に亘って噴流の当接範囲を移動することができる。
【００５８】
さらにまた、着座可能な便座部と、洗浄水を人体局部に噴出する洗浄水噴出手段と、上記乾燥装置を備えた衛生洗浄装置とすることにより、洗浄により水滴が広く付着する被乾燥面に対して、空気噴出部からの空気噴流を前後左右に移動させて被乾燥面の中心部に水滴を集めながら吹き飛ばすので、水滴が周囲に広がることがなく、短時間で効率的に乾燥ができる。また、少ない空気噴流でも水滴を吹き飛ばすことができるので乾燥装置が小型にでき、衛生洗浄装置全体を小さくすることができる。
【００５９】
さらにまた、気体を加熱する加熱手段と、前記加熱手段により加熱された温風を吹出す温風噴出口とを備えたことにより、空気噴出部により被乾燥面に加圧空気を噴射し水滴を吹飛ばすのに加え、加熱手段により加熱した温風を被乾燥面に向かって吹出すことにより、被乾燥面がより短時間で効率よく乾燥できる。また、温風により被乾燥面の水分が除去できるで、乾燥後の快適性が向上する。さらに加圧空気の噴流による冷風感が防止できる。
【００６０】
また、以下のような態様も有効である。
本発明は、被乾燥面より当接範囲が狭い加圧空気の噴流で乾燥する乾燥装置であって、加圧空気を噴射する空気噴出部と、前記空気噴出部からの噴流の当接範囲を被乾燥面の略全面に亘って順次移動させる移動手段を備えたものである。
【００６１】
これは、被乾燥面に付着した水滴に加圧空気の噴流を当てる場合に、噴流がダイレクト又は近傍に当たれば水滴は吹き飛びやすい。そこで被乾燥面に広がって付着した水滴に対して、噴流の当接範囲を被乾燥面全面に順次吹付けるようにするものである。
【００６２】
当接範囲を細く絞られた加圧空気の噴流でも広範囲の被乾燥面に付着した水滴を効率よく吹き飛ばすことができ、乾燥装置の小型化が可能である。
【００６３】
また、特に、上記構成において、移動手段は噴流の当接範囲を被乾燥面の周辺部より周回させながら中心部に移動させるものであってもよい。
【００６４】
これにより、被乾燥面に広がって付着した水滴に対して、噴流の当接範囲を被乾燥面の周辺部から周辺部から周回させ、周回範囲を小さくしながら中心部に移動させることにより、水滴は周辺部から中心部方向に吹飛ばされ、最終的に中心部に集められた全ての水滴を吹飛ばすことができるので、当接範囲を細く絞られた加圧空気の噴流でも広範囲の被乾燥面に付着した水滴を効率よく吹き飛ばすことができ、乾燥装置の小型化が可能である。
【００６５】
また、上記構成において、移動手段は、噴流の当接範囲を被乾燥面の中心を中心とする円周の略接線で構成する略多角形上を周回させながら被乾燥面の中心部に移動させることにより、噴流の当接範囲が被乾燥面の外周部から多角形上を移動しながら徐々に多角形の形状が小さくなりながら中心に向けて近づいてくるので、水滴が被乾燥面の中心方向に移動し、外側に拡散されて濡れ面積が広がることがない。しかも、被乾燥面の中心部に水滴が集まれば空気噴流を狭い範囲に集中して当てることができるので、効率的に水滴が吹き飛ばせる。
【００６６】
また、上記構成において、移動手段は、噴流の当接範囲を被乾燥面の中心を中心とする略円周上を周回しながら被乾燥面の中心部に移動させることにより、被乾燥面に付着する水滴全体を外周から円周の直径を徐々に小さくして水滴を包むように中心部に集めることができるので、水滴が外側に拡散することなく効率よい乾燥ができる。
【００６７】
また、本発明は、着座可能な便座部と、洗浄水を噴出する洗浄水噴出手段と、第１〜４のいずれか１つの発明の乾燥装置を備えた衛生洗浄装置とすることにより、洗浄により水滴が広く付着した被乾燥面に対して、加圧空気の噴流を被乾燥面の周辺部より周回しながら中心部に移動させるので、被乾燥面全面に噴流が行渡り、短時間で効率的に乾燥ができる。また、少ない空気噴流でも水滴が吹き飛ばせるので乾燥装置が小型にでき、衛生洗浄装置全体を小さくすることができる。
【００６８】
また、上記構成において、空気を加熱する加熱手段と、前記加熱手段により加熱された温風を吹出す温風噴出口とを備えたことにより、空気噴出部により被乾燥面に加圧空気を噴射し水滴を吹飛ばすのに加え、加熱手段により加熱した温風を被乾燥面に向かって吹出すことにより、被乾燥面がより短時間で効率よく乾燥できる。また、温風により被乾燥面の水分が除去できるで、乾燥後の快適性が向上する。さらに加圧空気の噴流による冷風感が防止できる。
【００６９】
以下、本実施の形態について、図面を参照しながら説明する。なお、本実施の形態によって本発明が限定されるものではない。
【００７０】
（実施の形態１）
図１は、本発明の実施の形態に係る衛生洗浄装置を便器に装着した状態を示す斜視図である。
【００７１】
図１に示すように、便器６００上に衛生洗浄装置１００が装着される。
【００７２】
衛生洗浄装置１００は、本体部２００、遠隔操作装置３００、便座部４００および蓋部５００により構成される。
【００７３】
本体部２００には、便座部４００および蓋部５００が開閉自在に取り付けられる。さらに、本体部２００には、空気噴出部である乾燥ノズル２０を含む乾燥装置５０と、洗浄水を噴出するための洗浄水噴出手段３０と、加熱手段４０とが設けられるとともに、制御部が内蔵されている。本体部２００の制御部は、後述するように遠隔操作装置３００ により送信される信号に基づいて、乾燥装置５０、加熱手段４０および洗浄水噴出手段３０を制御する。さらに、本体部２００の制御部は、本体部２００に設けられた脱臭装置（図示せず）等の制御も行う。
【００７４】
乾燥手段５０は、加圧空気を供給するエアポンプ５１と、この加圧空気を噴射する乾燥ノズル２０と、乾燥ノズル２０から噴射される加圧空気の噴流を前後左右に移動するために、乾燥ノズル２０を駆動する駆動手段５２とにより構成されており、乾燥手段５０から噴射する加圧空気は被乾燥面に衝突する風速が秒速２０〜３０ｍの能力を備えており、被乾燥面には直径約１ｃｍの大きさの当接範囲で当接する。
【００７５】
乾燥ノズル２０には、洗浄水噴出手段３０の洗浄ノズル部３３が一体で構成されている。洗浄水噴射手段３０は、洗浄ノズル部３３以外に水道水の供給を開閉する開閉弁と、水道水を加熱する温水加熱手段３１と、温水加熱手段３１からの温水を洗浄ノズル部３３の方向と便器６００の内部方向とに流路を切換える切換弁３２とで構成されており、駆動手段５２は乾燥ノズル２０と共用している。
【００７６】
加熱手段４０は、内蔵のヒータに送風して温風を供給するエアファン４１と、この温風を温風噴出口４２に導くダクト４３により構成されており、温風噴出口４２より噴出する温風は前記乾燥手段５０から噴出する加圧空気の流速より遅く、秒速１０ｍ以下であり、被乾燥面に対する当接面積は広く被乾燥面の略全面に拡散する構成となっている。
【００７７】
図２ は図１ の遠隔操作装置３００の一例を示す模式図である。
【００７８】
図２ に示すように、遠隔操作装置３００は、複数のＬＥＤ（ 発光ダイオード）３０１、複数の調整スイッチ３０２ 、おしりスイッチ３０３、刺激スイッチ３０４、停止スイッチ３０５、ビデスイッチ３０６、乾燥スイッチ３０７および脱臭スイッチ３０８備える。
【００７９】
使用者により調整スイッチ３０２ 、おしりスイッチ３０３ 、刺激スイッチ３０４ 、停止スイッチ３０５ 、ビデスイッチ３０６ 、乾燥スイッチ３０７ および脱臭スイッチ３０８が押下操作される。
それにより、遠隔操作装置３００は、後述する本体２００に設けられた制御部に所定の信号を無線送信する。
【００８０】
本体部２００の制御部は、遠隔操作装置３００より無線送信される所定の信号を受信し、洗浄水噴出手段３０、加熱手段４０および乾燥装置５０を制御する。例えば、使用者が、おしりスイッチ３０３またはビデスイッチ３０６を押下操作することにより、図１の本体部２００の洗浄ノズル部３３が移動して洗浄水が人体の被洗浄面に対して噴出される。刺激スイッチ３０４を押下操作することにより、図１の本体部２００の駆動手段５２により洗浄ノズル部３３を前後に往復駆動させて、洗浄水を変化させることにより人体の局部に刺激を与える。
【００８１】
また、乾燥スイッチ３０７を押下操作することにより、図１の乾燥装置５０の乾燥ノズル２０が駆動手段５２により駆動しながら、エアポンプ５１から供給される加圧空気を洗浄後の人体の被乾燥面に対して噴出する。この時、同時に加熱手段４０も運転して、温風噴出口４２から温風を吹出し、被乾燥面の略全面に温風を当てる。
【００８２】
停止スイッチ３０５を押下操作することにより、洗浄水噴出手段３０、加熱手段４０、乾燥装置５０の各動作を停止し乾燥ノズル２０を本体部２００に収納する。
【００８３】
さらに、脱臭スイッチ３０８を押下操作することにより、衛生洗浄装置１００の脱臭装置（ 図示せず）により周辺空気の脱臭が行われる。
【００８４】
調整スイッチ３０２は、風量調整スイッチ３０２ａ、３０２ｂ、温度調整スイッチ３０２ｃ、３０２ｄおよびノズル位置調整スイッチ３０２ｅ、３０２ｆを含む。
【００８５】
使用者が、ノズル位置調整スイッチ３０２ｅ、３０２ｆを押下操作することにより図１の衛生洗浄装置１００の乾燥装置５０の乾燥ノズル２０の中心部の設定位置が変化し、温度調整スイッチ３０２ｃ、３０２ｄを押下操作することにより、加熱手段４０から吹出される温風の温度が変化する。また、風量調整スイッチ３０２ａ、３０２ｂを押下操作することにより、乾燥装置５０のエアポンプ５１より供給される加圧空気の風量が変化する。調整スイッチ３０２の押下操作に伴って複数のＬ ＥＤ（ 発光ダイオード）３０１点灯する。
【００８６】
次に、本体部２００内に設けられた洗浄水噴出手段３０について説明を行う。図３は洗浄水噴出手段３０の構成を示すブロック図である。
【００８７】
図３に示す洗浄水噴出手段３０は、開閉弁３４、温水加熱手段３１、切換弁３２、洗浄ノズル部３３、駆動手段５２、前後駆動モータ５３ 、左右駆動モータ５４、制御部１５０を含む。
【００８８】
洗浄水噴出手段３０の制御部１５０は、開閉弁３４、温水加熱手段３１、切換弁３２、前後駆動モータ５３および左右駆動モータ５４の動作を制御する。
【００８９】
続いて本体部２００内に設けられた乾燥装置５０について説明を行う。図４は乾燥装置５０の構成を示すブロック図である。
【００９０】
図４に示す乾燥装置５０は、乾燥ノズル２０、エアポンプ５１、駆動手段５２、制御部１５０、前後駆動モータ５３ 、左右駆動モータ５４、エアファン４１、ヒータ４３および温風噴出口４２を含む。前記の駆動手段５２、前後駆動モータ５３ 、左右駆動モータ
５４、制御部１５０は、前述する洗浄水噴出手段３０と共用している。
【００９１】
乾燥装置５０の制御部１５０は、エアポンプ５１、前後駆動モータ５３ 、左右駆動モ
ータ５４、エアファン４１およびヒータ４３の動作を制御する。
【００９２】
図５は乾燥装置５０における駆動手段５２の構成を示す斜視図である。
【００９３】
図５に示す駆動手段５２は、乾燥ノズル２０と、乾燥ノズル２０からの空気噴流を左右方向に揺動する揺動手段７０と、空気噴流を前後方向に往復動させる進退駆動手段７１と、ベース５５により構成されており、この駆動手段５２は移動手段として、乾燥ノズル２０から噴射する加圧空気の被乾燥面に対する当接範囲を被乾燥面の全面に亘り任意に移動させることができる。
【００９４】
乾燥ノズル２０は、円筒形状を成し、先端近傍の円筒周方向にエアノズル孔２１と洗浄水ノズル孔２２が設けられ、内部に加圧空気をエアノズル孔２１に導くエア空洞２３と、洗浄水を洗浄水ノズル孔２２に導く水用空洞２４が設けられている。すなわちこの乾燥ノズル２０は洗浄ノズル部３３を兼ねて構成されている。
【００９５】
エアポンプ５１からの加圧空気は、エアチューブ２５からエア空洞２３に供給されるように接続され、切換弁３２からの洗浄水は、水チューブ２６から水用空洞２４に供給されるように接続されている。エアチューブ２５と水チューブ２６は、乾燥ノズル２０が回転や前後駆動する際に、ねじれや屈曲の力が働くためゴムなどの軟質素材で構成する。
【００９６】
ベース５５は上面に前傾して構成したレール部５６に沿って乾燥ノズル２０を傾斜させて配置し、ベース先端に開孔して配置したガイド部５７に乾燥ノズル２０を通して保持する。このガイド部５７は摺動性のよい材質で構成し、乾燥ノズル２０がスムーズに回転および摺動するように適度にクリアランスを設けている。また、ベース５５上面にはレール部５６に沿ってスライドするスライダ５８を備え、乾燥ノズル２０の終端を回転自在に保持する。そしてスライダ５８の動作に合わせて乾燥ノズル２０はレール部５６に沿って駆動される。
【００９７】
第1の移動手段としての進退駆動手段７１は、前後駆動モータ５３と、スライダ５８とネジ部５９により構成され、前後駆動モータ５３は、ベース５５の後部に配置し、レール部５６に平行に配置したネジ部５９を正逆回転するよう接続されている。このネジ部５９は、スライダ５８のナット部６０にセットされ、ネジ部５９の回転に従ってスライダ５８がレール部５６上を駆動する。したがって、前後駆動モータ５３の回転に合わせてスライダ５８に保持された乾燥ノズル２０が前後に進退駆動する。ここでの前方向とは図５のＡ方向を表し、後方向とはＢ方向を表しており、前方向は便座４００に着座した用便者の前面方向に対応し、後方向は用便者の背面方向に対応する。
【００９８】
第２の移動手段としての揺動手段７０は、スライダ５８に配置した左右駆動モータ５４、歯車Ａ６１、歯車Ｂ６２および歯車Ｃ６３より成り、左右駆動モータ５４の回転を歯車Ａ６１、歯車Ｂ６２および歯車Ｃ６３を介して乾燥ノズル２０に伝える。したがって、左右駆動モータ５４の正逆回転に応じて乾燥ノズル２０が回転し、エアノズル孔２１から噴出する空気噴流は図５のＣおよびＤの右左方向に揺動する。
【００９９】
以下に制御部１５０における制御動作について図６、図７、図８および図９を加えて説明する。図６は制御部１５０による「おしり洗浄」および「乾燥」運転における制御動作のタイムチャート、図７は「おしり洗浄」および「乾燥」の運転状態の模式的断面図である。図８および図９は「乾燥」運転状態の被乾燥面における噴流の当接範囲Ｅの移動パターンを示す模式図である。
【０１００】
図６に示すように、まだ操作がされていない状態のＴ０の時点では、乾燥ノズル２０（洗浄ノズル部３３）の前後方向は後端の収納位置に配置されている。乾燥ノズル２０の左右方向は、揺動手段７０に設けた中心部位置を検出する位置センサ（図示せず）の検出位置に角度設定されている。この角度は中心角度となりエアノズル孔２１と洗浄水ノズル孔２２の噴流角度が上方向に設定される。
【０１０１】
使用者が遠隔操作装置３００のおしりスイッチ３０３を押下操作するＴ１において、開閉弁３４が開き、水道水が温水加熱手段３１に流れ込む、内蔵の流量センサ（図示せず）が水流を検出すると、温水加熱手段３１への通電が開始され、加熱された温水が供給し始める。この時切換弁３２は便器側の流路に設定されているので、充分に温まっていない温水は便器６００内に排出される。
【０１０２】
温水加熱手段３１からの出湯温度が所定の温度（例えば３６℃）に達した時点Ｔ２において、前後駆動モータ５３を運転させて洗浄ノズル部３３を中心部位置（例えば前方１００ｍｍ）まで前進させる。そしてＴ３において切換弁３２により洗浄水を洗浄ノズル部３３側に切換え、使用者の被洗浄面に洗浄水を噴出する。温水加熱手段３１への電力制御は、出湯温度を検出する温度センサ（図示せず）の検出温度が設定温度（例えば４０℃）になるように公知ＰＩＤやＦＦ制御を用いて行う。また、洗浄水の流量は切換弁３２の弁開度を調整することにより使用者の好みの量に設定されている。このおしり洗浄における被洗浄面の濡れ状態は図７（ａ）に示すように洗浄水が直接当たる中心部だけでなく、水滴が流れて周辺部を濡らしてしまう。
【０１０３】
おしり洗浄が終了し、使用者が遠隔操作装置３００の停止スイッチ３０５を押下操作する図６のＴ４において、切換弁３２により洗浄水を便器６００側に切換え、洗浄ノズル部３３からの洗浄水噴出を停止すると同時に、温水加熱手段３１への通電を停止し、前後駆動モータ５３を逆転させて洗浄ノズル部３３を収納位置まで後退させる。そしてＴ５で開閉弁３４を閉じて通水を遮断して、洗浄動作を終了する。
【０１０４】
なお本実施の形態では、おしり洗浄における動作を説明したが、遠隔操作装置３００のビデスイッチ３０６押下操作するビデ洗浄や刺激スイッチ３０４を押下操作する刺激洗浄の場合においても、基本となるシーケースは同様である。ただ、ビデ洗浄の場合は、ビデに対応する洗浄ノズル位置と流量設定に変更され、刺激洗浄の場合は、洗浄ノズル部３３からの洗浄水噴出時に、洗浄ノズル部３３を前後に細かく駆動する操作が加わる。
【０１０５】
次にＴ６において使用者が遠隔操作装置３００の乾燥スイッチ３０７を押下操作すると、エアファン４１とヒータ４３が運転され温風噴出口４２から温風が吹出すための制御を開始する。吹出される温風温度はヒータ４３への通電量をフィードバック制御して、適温に制御される。そして温風噴出口４２から使用者の洗浄面である被乾燥面の略全面に対して送風される。
【０１０６】
この時同時にエアポンプ５１が短時間（たとえば１秒間）だけ運転され、加圧空気が乾燥ノズル２０のエアノズル孔２１より一瞬噴出される。この動作は、乾燥ノズル２０が収納位置にある状態で、乾燥ノズル２０表面に付着した水滴を吹き飛ばして、使用者に対して水滴の再付着を防止する。なお、ここで乾燥ノズル２０が収納位置にある状態でおいて加圧空気が乾燥ノズル２０のエアノズル孔２１より瞬間的に噴出されると、壁面からの反射風で効率よく乾燥ノズル２０が乾燥される。
【０１０７】
その後、前後駆動モータ５３を運転させて乾燥ノズル２０を最前進位置（例えば前方１５０ｍｍ）まで前進させながら、左右駆動モータ５４を運転させて乾燥ノズル２０の左右角度を右端角度（例えば＋５０°）まで角度変更する。
【０１０８】
Ｔ７において、エアポンプ５１の運転を開始して、被乾燥面に対してエアノズル孔２１から加圧空気の噴射を開始する。
【０１０９】
そしてＴ７からＴ８の第１のステップにおいて、駆動手段５２の左右駆動モータ５４と前後駆動モータ５３の運転方向および運転速度を制御して、乾燥ノズル２０の前後駆動を所定範囲（例えば前方５０ｍｍから１５０ｍｍ）で高速に往復運転し、同時に乾燥ノズル２０の左右角度を右端角度から右側所定角度（例えば＋５０°から＋２０°）まで中心角度に向けてゆっくりと駆動させる。この第１のステップの動作は、乾燥ノズル２０からの空気噴流が、使用者の被乾燥面の右側所定位置から前後方向に高速に移動しながら徐々に中心部に接近してくる。したがって、図８の動作パターンＰ１に示すように、空気噴流の当接範囲Ｅは被乾燥面Ｆの右端の接線方向に高速に往復移動する周期移動しながら中心部Ｇに向けて徐々に漸進移動するので、図のようにジグザグの移動軌跡が描かれる。この結果、図７（ｂ）に示すように、被乾燥面の右側に広がって付着した水滴を、中心部方向に集めながら吹き飛ばすことができる。
【０１１０】
図６のＴ８では一旦エアポンプ５１を停止して、乾燥ノズル２０の左右角度を左端角度（例えば−５０°）まで角度変更する。そしてＴ９において、エアポンプ５１の運転を再開して、加圧空気の噴射を開始する。
【０１１１】
そしてＴ９からＴ１０の第２のステップにおいて、乾燥ノズル２０の前後駆動を第１のステップと同様に所定範囲（例えば前方５０ｍｍから１５０ｍｍ）で高速に往復運転し、同時に乾燥ノズル２０の左右角度を左端角度から左側所定角度（例えば−５０°から−２０°）まで中心角度に向けてゆっくりと駆動させる。この第２のステップの動作は、乾燥ノズル２０からの空気噴流が、使用者の被乾燥面の左側所定距離から前後方向に高速に移動する周期移動しながら徐々に中心部に漸進移動して接近してくる。したがって、図８の動作パターンＰ２に示すように、空気噴流の当接範囲Ｅは被乾燥面Ｆの左端の接線方向に高速に往復移動する周期移動しながら中心部Ｇに向けて徐々に漸進移動するので、図のようにジグザグの移動軌跡が描かれる。この結果、図７（Ｃ）に示すように、被乾燥面の左側に広がって付着した水滴を、中心部方向に集めながら吹き飛ばすことができる。
【０１１２】
以上の第１のステップと第２のステップによって被洗浄面に付着して残る水滴は中心部を中心に前後残るのみとなる。ここで中心部に集められた残留水滴があった場合は、温風噴出口４２から噴出される温風で効率よく乾燥される。
【０１１３】
人体の臀部は肛門や陰茎の洗浄中心部に対して左右両サイドに凸部が形成されているため、便座に座った場合に洗浄中心部より左右両サイドが低くなる。したがって、洗浄水が左右に濡れ広がりやすく、乾燥時に最初に中心部に空気噴流を当ててしまうと、付着した水滴が左右に大きく広がり、濡れ面積が拡大してしまう。上述のように第１のステップと第２のステップによって被洗浄面の水滴が左右に広がるのを防止しながら吹き飛ばすので、効率の良い乾燥ができる。第1および第2ステップにおいて、第1の移動手段としての進退駆動手段７１により、噴出角度を維持しながら洗浄中心部に沿ってエア噴出孔２２を移動し、掃引することにより、使用者のお尻に付着した洗浄水滴を、順次循環的な送風の中心に集めるように水滴を除去することができる。従って、被洗浄面に付着した洗浄水滴を必要以上に広げることがないばかりか、洗浄水滴が１カ所に集まることにより、水滴除去効率を上げることができる。
【０１１４】
第２のステップの終了時点Ｔ１０では、乾燥ノズル２０を最前進位置まで前進させる。そして、Ｔ１０からＴ１１の第３のステップにおいて、乾燥ノズル２０の前後駆動を最先進位置から中心部方向にゆっくり後退させながら、同時に乾燥ノズル２０の左右角度を右端角度から左端角度まで高速に往復駆動させる。この第３のステップの動作は、乾燥ノズル２０からの空気噴流が、被乾燥面上を左右方向に高速に移動に移動しながら前方の所定位置から後方に向かって徐々に中心部に接近してくる。したがって、図９の動作パターンＰ３に示すように、空気噴流の当接範囲Ｅは被乾燥面Ｆの先端の接線方向に高速に往復移動する周期移動をしながら中心部Ｇに向けて徐々に漸進移動するので、図のようにジグザグの移動軌跡が描かれる。この結果、被乾燥面の中心部Ｇより前方に残る水滴を、中心部Ｇ方向に集めながら吹き飛ばすことができる。
【０１１５】
図６のＴ１１では一旦エアポンプ５１を停止して、乾燥ノズル２０の前後方向位置を後部所定位置（例えば前方５０ｍｍ）まで移動させる。そしてＴ１２において、エアポンプ５１の運転を再開して、加圧空気の噴射を開始する。
【０１１６】
そしてＴ１２からＴ１３の第４のステップにおいて、乾燥ノズル２０の前後駆動を後部所定位置から中心部方向にゆっくり前進させながら、同時に乾燥ノズル２０の左右角度を右端角度から左端角度まで高速に往復駆動させる。この第４のステップの動作は、乾燥ノズル２０からの空気噴流が、被乾燥面上を左右方向に高速に移動に移動しながら後方の所定距離から前方に向かって徐々に中心部に接近してくる。したがって、図９の動作パターンＰ４に示すように、空気噴流の当接範囲Ｅは被乾燥面Ｆの後端の接線方向に高速に往復移動する周期移動をしながら中心部Ｇに向けて徐々に漸進移動するので、図のようにジグザグの移動軌跡が描かれる。この結果、被乾燥面の中心部Ｇより後方に残る水滴を、中心部Ｇ方向に集めながら吹き飛ばすことができる。
【０１１７】
以上の第１から第４のステップによって被乾燥面に付着して残る水滴は中心部のみとなる。
【０１１８】
前記の第１から第４のステップでの被乾燥面に付着する水滴への作用を説明する。各ステップの動作中の被乾燥面への空気噴流の駆動方向が、中心部に向けて移動する速度より、中心部に対して略接線方向の移動速度の方を充分に速くしているので、被乾燥面に衝突して広がる空気流れ方向が、前記の略接線方向に対して垂直方向の流れ成分が多くなる。したがって、この略接線方向に駆動する空気噴流と中心部の間に付着する水滴は、略接線方向に対して垂直方向の空気流に押されて中心部方向に移動するように作用する。そして徐々に空気噴流を中心部に接近させるので、中心部方向に集まってくる。この動きを第１から第４のステップにおいて右、左、前、後の４方向から行うことによって、水滴は中心部に集まる。
【０１１９】
Ｔ１３では再びエアポンプ５１を停止して、乾燥ノズル２０の前後方向位置を前方の所定位置（例えば前方１３０ｍｍ）まで移動させる。そしてＴ１４において、エアポンプ５１の運転を再開して、加圧空気の噴射を開始する。
【０１２０】
そして、Ｔ１４からＴ１５の第５のステップにおいて、乾燥ノズル２０の前後駆動を前方の所定位置から後退を開始し、中心部を通過して、中心部より後方の所定距離（例えば前方５０ｍｍ）までをゆっくりと後退する。同時に乾燥ノズル２０の左右角度を右端角度から左端角度まで高速に往復駆動させる。この第５のステップの動作は、乾燥ノズル２０からの空気噴流が、被乾燥面上を左右方向に高速に移動するに周期移動をしながら前方の所定位置から後方に向かって徐々に漸進移動をして中心部に接近し、さらに中心部を通過して後方の所定位置まで漸進移動する。したがって被乾燥面に対して空気噴流の当たる位置が前方から中心部を通って後方に徐々に移動するので、被乾燥面の中央部に残る水滴を、完全に吹き飛ばすことができる。
【０１２１】
Ｔ１５でエアポンプ５１を停止して、乾燥ノズル２０の前後方向は後端の収納位置に移動させる。乾燥ノズル２０の左右方向は、中心角度に戻す。そして使用者が遠隔操作装置３００の停止スイッチ３０５を押下操作するＴ１６では、エアファン４１とヒータ４３の運転を停止して、温風噴出口４２から温風が吹出しを終了する。
【０１２２】
以上、本実施の形態においては、乾燥ノズル２０からの空気噴流が被乾燥面に噴射される際に、温風噴出口４２から温風が被乾燥面に吹付けられているので、より効率よく乾燥するとともに、空気噴流の冷風感を防止することができる。
【０１２３】
また、おしり洗浄とビデと乾燥を１本のノズルで構成し、駆動手段も共用したので、ノズルの設置面積を小さくでき、さらに部品点数が少なくできるため、省スペース化や低コスト化が実現できる。
【０１２４】
さらに、乾燥のための加圧空気を単一のノズル孔から噴射するように構成しているので、低流量でも空気噴流の流速が大きくでき、小容量のエアポンプでも高い乾燥性能が得られる。すなわち、噴流の流速が大きいので被乾燥面に付着した水滴に噴流が当たる際の水滴を引き剥がすエネルギーが大きくなるため、水滴を効率よく吹き飛ばすことができる。
【０１２５】
なお、本実施の形態においては、おしり洗浄とビデを同一のノズル孔で行ったが、１本の円筒にそれぞれ単独のノズル孔を配置して構成してもよいし、おしり洗浄とビデをそれぞれ独立したノズルと駆動手段を配置しても良い。
【０１２６】
また、本実施の形態では洗浄と乾燥を一本の円筒で構成して、駆動手段を共用したが、これをそれぞれ独立したノズルと駆動手段で構成してもよい。
【０１２７】
さらに、本実施の形態では乾燥ノズルを単一のノズル孔により構成したが、複数のノズル孔により加圧空気を噴射する構成でもよいし、乾燥ノズルおよび駆動手段を複数配置してもよい。そして、複数の空気噴流により被乾燥面の水滴を中心部に集めるように駆動する方が乾燥時間を短縮することができる。また、本実施の形態においては加圧空気の流速を秒速２０〜３０ｍとしたが、水滴を吹き飛ばす効果を得るためには秒速１０ｍ以上が最低必要であり、噴流の当接範囲の大きさの設定要素であるノズル孔の大きさやノズル孔の数はエアポンプの能力と加圧空気の流速を考慮して選択する必要がある。
【０１２８】
また、本実施の形態では移動手段として乾燥ノズル全体を駆動手段で駆動する構成としたが、これに限るものではなく、乾燥ノズルのエアノズル孔のみ、あるいはエアノズル孔を含む周辺の部材のみを移動あるいは角度を変更することにより噴流の噴射方向を変更することにより、噴流の当接範囲を移動する構成としても良く、あるいはエアノズルの前方に噴流の方向をかえる風向変更手段を設ける構成等が考えられる。
【０１２９】
また、本実施の形態では第１のステップから第５のステップを順次実行したが、各ステップは繰り返し実行してもよいし、各ステップの順番を入れ替えてもよい。また、第１と第２のステップを省略しても良いし、第３と第４のステップを省略しても良い。
【０１３０】
また、乾燥工程の最後に周期移動をさせながら被乾燥面の一端から中心を通って他端まで漸進移動させることで、残留する水滴を確実に除去することができる。
【０１３１】
（実施の形態２）
次に、本発明の第２の実施の形態に係る衛生洗浄装置について説明する。
【０１３２】
第２の実施の形態に係る衛生洗浄装置が、第１の実施の形態に係る衛生洗浄装置と異なるのは、以下の点である。
【０１３３】
図１０は、第２の実施の形態に係る衛生洗浄装置における乾燥装置の乾燥ノズルおよび揺動手段の部分斜視図を示すものである。
【０１３４】
図１０に示す揺動手段８０は、空気噴出部である乾燥ノズル８１の基部８２に一体的接続する回転軸部８３と、この回転軸部８３の軸心８４を中心に回動自在に支持するスライダ８５と、回転軸部８３を回転作用させる左右駆動モータ８６と、左右駆動モータ８６の回転力を回転軸部８３に伝達する歯車Ａ８７および歯車Ｂ８８を含む。
【０１３５】
スライダ８５による前後駆動機能は第１の実施の形態と同様であり、ナット部６０も同様に構成されている。
【０１３６】
乾燥ノズル８１の内部構成は第１の実施の形態と同様に円筒形状を成し、先端近傍の円筒周方向にエアノズル孔２１と洗浄水ノズル孔２２が設けられ、内部に加圧空気エア用のエア空洞（図示せず）と、洗浄水用の水用空洞（図示せず）が設けられている。第１の実施の形態と異なる点は、乾燥ノズル８１の基部８２が回転軸部８３に一体的に接続され、乾燥ノズル８１がこの回転軸部８３を中心に扇状に往復揺動することである。
【０１３７】
以上の構成において、空気噴流を左右に駆動させるのは、左右駆動モータ８６を正逆回転制御させて、乾燥ノズル８１を所定の角度まで回転させることにより、エアノズル孔２１自身の位置が左右の所定位置にまで移動することによって行う。
【０１３８】
そして、エアノズル孔２１からの空気噴流８９は、被乾燥面に対してほぼ垂直を保って噴射されるので、被乾燥面に付着する水滴に対しての剥離作用が高くなる。また、水滴が被乾燥面の外側に移動しようとする作用がより抑制できるので、中心部に水滴を集めやすくなる。さらに、左右に空気噴流を移動させても、被乾燥面に噴流が当たるまでの距離が離れないので、空気流速の高い噴流を被乾燥面に当てることができ、さらに水滴除去能力を向上できる。
【０１３９】
（実施の形態３）
次に、本発明の第３の実施の形態に係る衛生洗浄装置について説明する。
【０１４０】
第３の実施の形態に係る衛生洗浄装置が、第１の実施の形態に係る衛生洗浄装置と異なるのは、以下の点である。
【０１４１】
図１１は、衛生洗浄装置の制御部による「おしり洗浄」および「乾燥」運転における制御動作のタイムチャート。図１２「乾燥」運転状態の被乾燥面の空気噴流の当接範囲の移動パターンを示す模式図である。
【０１４２】
第３の実施の形態では、図１１のＴ７からＴ１３に到る間に、図１２に示す被乾燥面Ｆの外周部を後ｍ１、左ｍ２、前ｍ３、右ｍ４、後ｍ５と順に空気噴流の当接範囲Ｅを移動させてゆき、徐々にその駆動範囲を中心部Ｇに近づけてゆくものである。
【０１４３】
具体的には図１１のＴ７からＴ８では、駆動手段５２の左右駆動モータ５４と前後駆動モータ５３の運転方向および運転速度を連動させて、乾燥ノズル２０の前後駆動を後方に所定範囲（例えば前方１５０ｍｍから５０ｍｍまで）で高速に移動し、同時に乾燥ノズル２０の左右角度を右端角度から左側に所定角度（例えば＋５０°から＋４５°）ゆっくりと駆動させる。
【０１４４】
次にＴ８からＴ９では、乾燥ノズル２０の前後駆動を前方に所定距離（例えば前方５０ｍｍから５５ｍｍまで）ゆっくり移動し、同時に左右角度を左側に所定角度範囲（例えば＋４５°から−５０°まで）高速で駆動させる。
【０１４５】
次にＴ９からＴ１０では、乾燥ノズル２０を前方に所定範囲（例えば前方５５ｍｍから１５０ｍｍまで）高速で移動し、同時に左右角度を右側に所定角度（例えば−５０°から−４５°）ゆっくりと駆動させる。
【０１４６】
次にＴ１０からＴ１１では、乾燥ノズル２０を後方に所定距離（例えば前方１５０ｍｍから１４５ｍｍまで）ゆっくりと移動し、同時に左右角度を所定角度範囲（例えば−４５°から＋４５°まで）高速に駆動させる。
【０１４７】
さらにＴ１１からＴ１２では、乾燥ノズル２０を後方に所定範囲（例えば前方１４５ｍｍから５５ｍｍまで）で高速に移動し、同時左右角度を左側に所定角度（例えば＋４５°から＋４０°）ゆっくりと駆動させる。
【０１４８】
以上のような動作を繰り返しながら所定範囲および所定角度範囲を徐々に小さくして空気噴流の当接範囲を被乾燥面の中心部Ｇに近づけてゆく。
【０１４９】
この方法であれば、エアポンプを止めることなく、連続して被乾燥面に広がった水滴を中心部に集めながら吹き飛ばすことができる。したがって、動作に無駄がなくなり乾燥時間を短縮できる。
【０１５０】
（実施の形態４）
次に、本発明の第４の実施の形態に係る衛生洗浄装置について説明する。
【０１５１】
第４の実施の形態に係る衛生洗浄装置が、第１の実施の形態に係る衛生洗浄装置と異なるのは、以下の点である。
【０１５２】
図１３は、衛生洗浄装置の制御部による「おしり洗浄」および「乾燥」運転における制御動作のタイムチャート。図１４「乾燥」運転状態の被乾燥面の空気噴流の当接範囲の移動パターンを示す模式図である。
【０１５３】
第４の実施の形態では、図１３のＴ７からＴ１３に到る間に、図１４に示す被乾燥面Ｆの外周近傍を右回りに空気噴流の当接範囲Ｅを移動させてゆき、徐々にその半径ｒを小さくして中心部Ｇに近づけてゆくものである。
【０１５４】
具体的には図１１のＴ７からＴ１３の乾燥ノズル２０の前後方向移動距離と左右方向角度に示すように、それぞれ被乾燥面の中心部に対して正弦波状に往復駆動し、それぞれ往復駆動周波数を同一にして位相を９０度ずらして設定する。すなわち、前後方向移動距離が中心部位置にある時（Ｔ７，Ｔ９）は、左右方向角度は右または左の端を駆動するようにし、逆に左右方向角度が中心角度にある時（Ｔ８，Ｔ１０）は、前後方向移動距離は前方端または後方端を駆動するようにする。そして、往復駆動の振幅を徐々に小さくして、噴流の移動範囲が中心部Ｇに近づくように駆動させる。
【０１５５】
本実施の形態によれば、空気噴流の当接範囲が被乾燥面上を円を描くように移動するので、この円の内側に位置する水滴を、外に拡散することなく中心部に集めながら吹き飛ばすことができる。したがって、確実に水滴除去ができ、また動作に無駄がなく乾燥時間を短縮できる。
【０１５６】
なお前記実施の形態では、空気噴流の当接範囲が被乾燥面上を円を描くように構成したが、噴流の当接範囲を被乾燥面の中心を中心とする円周の略接線で構成する略多角形上を周回させながら被乾燥面の中心部に移動させるようにしてもよい。これにより、駆動手段の構成が簡単になり、また、噴流の当接範囲が被乾燥面の外周部から多角形上を移動しながら徐々に多角形の形状が小さくなりながら中心に向けて近づいてくるので、水滴が被乾燥面の中心方向に移動し、外側に拡散されて濡れ面積が広がることがない。しかも、被乾燥面の中心部に水滴が集まれば空気噴流を狭い範囲に集中して当てることができるので、効率的に水滴を吹き飛ばすことができる。
【０１５７】
（実施の形態５）
次に、本発明の第５の実施の形態に係る衛生洗浄装置について説明する。
【０１５８】
第５の実施の形態に係る衛生洗浄装置においても、乾燥装置からの空気噴流によって被乾燥面Fを、掃引することで、洗浄水付着範囲Aの水滴を効率よく除去するものである。この第５の実施の形態の衛生洗浄装置が、第３および第４の実施の形態に係る衛生洗浄装置と異なるのは、以下の点である。
【０１５９】
図１５および図１６は、乾燥ノズル２０の位置と当接範囲との関係を示す図である。ここでは平面図は実施の形態３と同様であるため平面図は省略するが図１２と同様である。すなわち図１２に、運転状態の被乾燥面の空気噴流の当接範囲の移動パターンを示したのと同様に移動するが、本実施の形態では、空気噴流を制御するに際し、乾燥ノズル２０の噴出方向を変化させるのではなく、乾燥ノズル２０の先端位置が噴射位置の真下にくるように、乾燥ノズル２０の位置を変化させるようにしたものである。図１２の点Ｇの位置が図１５（ａ）および図１６（ａ）に相当し、ｍ１が図１５（ｂ）および図１６（ｃ）に相当し、ｍ２が図１５（ｃ）および図１６（ｃ）に相当し、ｍ３が図１５（ｃ）および図１６（ｂ）に相当し、ｍ４が図１５（ｂ）および図１６（ｂ）に相当する。
【０１６０】
この構成においては、空気噴流が被乾燥面にほぼ垂直に当たるように構成されており、この構成によれば、衝突した空気の流れは、被乾燥面に沿って空気噴流の軸心を中心として放射状に広がる。この被乾燥面に沿って流れる空気により、被乾燥面に付着する水滴は、空気噴流の軸心から離れる方向に移動または飛散する。したがって、この空気噴流の中心位置を図１５および図１６（ａ）の位置から（ｂ）（ｃ）、そして図１２に示したように順次ｍ１、ｍ２、ｍ３、ｍ４、ｍ５へと水平移動させることにより、付着水滴は中心部G方向へ移動しながら吹き飛ばされて行くので、効率よく乾燥が進行する。
【０１６１】
しかし、空気噴流が被乾燥面に対して垂直ではなく、傾斜して当たると、衝突した空気の流れは広がり角度の緩い方向を中心に広がり、放射状の広がりが崩れる。この衝突角度が垂直からの傾斜角度が大きくなると、衝突空気の広がりは角度の緩い方向だけになり広がりも少なくなる。このように、空気の噴出方向を前後と左右に偏向して被乾燥面に当てた場合は、被乾燥面に当たる空気噴流は、空気の噴出口の中心部では被乾燥面に対してほぼ垂直に当たるが、中心部から離れた位置では、空気噴流が被乾燥面に対して外側に傾斜して当たる。そのため、中心方向への噴流の広がりがなくなり、付着水滴は被乾燥面の外側に広がってしまうという問題があったが、本実施の形態では、こうした問題がなく上述したように極めて効率よく乾燥が進行する。
【０１６２】
なお図１６において、乾燥ノズルはやや前傾して、被乾燥面である人体臀部表面の角度に対して平均して沿わせるように構成されている。これにより、乾燥ノズルと臀部の被乾燥面との距離をほぼ一定にすることができるので、空気噴流の衝突速度を減衰させることがなく、効率的な水滴除去を行うことが可能となる。
【０１６３】
なお洗浄水付着範囲Ａとは、洗浄水噴出手段から噴出されて、人体洗浄用の水が噴出する勢いで広がったり、伝い流れて臀部表面が濡れ広がる範囲をいい、被乾燥面とは洗浄水付着範囲と同等か、それよりも広い範囲を被乾燥面として設定する。このようにして、被乾燥面外周部から空気を噴出させることにより、被乾燥面の外側に水滴が広がるのを防止することができる。
【０１６４】
このように本実施の形態では、噴射ノズル２０の方向を変化することなく、常に垂直方向に噴射するように構成されているため、効率よく乾燥を行うことができる。
【０１６５】
（実施の形態６）
次に、本発明の第６の実施の形態に係る衛生洗浄装置について説明する。
本実施の形態では、実施の形態1で説明した駆動手段５２を、ノズルの前後方向に駆動する第１の移動手段としての進退駆動手段７１に加え、この進退駆動手段７１による駆動方向と直交する方向に略直線運動するように駆動する第２の移動手段としての水平駆動手段７１Rを具備したことを特徴とする。
【０１６６】
図１７は乾燥装置５０における駆動手段５２の構成を示す斜視図である。進退駆動手段７１については図５に示した実施の形態１と同様に形成されており、説明を省略するが、同一箇所には同一符号を付した。
【０１６７】
図１７に示す駆動手段５２は、乾燥ノズル２０と、乾燥ノズル２０からの空気噴流を前後方向に往復動させる進退駆動手段７１と、進退駆動手段７１の駆動方向と直交する方向に略直線運動するように駆動する第２の移動手段としての水平駆動手段７１Rと、これら進退駆動手段７１および水平駆動手段７１Rを支持するベース５５Rとにより構成されており、この駆動手段５２は移動手段として、乾燥ノズル２０から噴射する加圧空気の被乾燥面に対する当接範囲を被乾燥面の全面に亘り掃引するように移動させることができる。
【０１６８】
乾燥ノズル２０は、前記実施の形態１と同様に円筒形状を成し、先端近傍の円筒周方向にエアノズル孔２１と洗浄水ノズル孔２２が設けられ、内部に加圧空気をエアノズル孔２１に導くエア空洞（図示せず）と、洗浄水を洗浄水ノズル孔２２に導く水用空洞（図示せず）が設けられている。すなわちこの乾燥ノズル２０は洗浄ノズル部を兼ねて構成されている。
【０１６９】
ベース５５Rは上面に前傾して構成したレール部５６に沿って水平駆動手段７１Rを傾斜させて配置している。そして水平駆動手段７１Rに設けられた水平駆動用レール５６R上を摺動することで、乾燥ノズルを水平駆動するように構成されている。また、ベース５５R上面にはレール部５６に沿ってスライドするスライダ５８を備え、水平駆動手段７１Rはスライダ５８に固定されていて、スライダ５８の動作に合わせて水平駆動手段７１Rはレール部５６に沿って駆動される。一方水平駆動手段７１Rに設けられた水平駆動用レール５６R上をスライダ５８Rで摺動することで、乾燥ノズル２０は進退駆動に加えて水平移動も可能となっている。
【０１７０】
第1の移動手段としての進退駆動手段７１は、前後駆動モータ５３と、スライダ５８とネジ部５９により構成され、第２の移動手段としての水平駆動手段７１Rは、スライダ５８に装着され、スライダ５８と一体的に移動するように構成されており、水平駆動モータ５３Rは、ベース５５Rの中間部に配置され、レール部５６に直行するように配置したレール５６上Rをスライダ５８Rが水平移動するよう接続されている。ネジ部５９は、スライダ５８のナット部６０にセットされ、ネジ部５９の回転に従ってスライダ５８がレール部５６上を摺動するように駆動される。またスライダ５８Rのナット部６０Rにセットされ、水平駆動モータ５３Rの回転に従ってスライダ５８Rがレール部５６R上を駆動する。したがって、前後駆動モータ５３、水平駆動モータ５３Rの回転に合わせてスライダ５８，５８Rに保持された乾燥ノズル２０が前後に進退駆動されるとともに水平駆動される。ここで前方向とは図１７のＡ方向を表し、後方向とはＢ方向を表しており、前方向は便座４００に着座した用便者の前面方向に対応し、後方向は用便者の背面方向に対応する。また水平方向とはC’,D’を結ぶ方向をいうものとする。
このようにして、縦横直線駆動が可能となる。
【０１７１】
（実施の形態７）
次に、本発明の第７の実施の形態に係る衛生洗浄装置について説明する。
本実施の形態では、ノズル構造の変形例であり、第２の移動手段が、前記空気噴出部から噴出する噴流の噴出方向を揺動するように構成したことを特徴とするものである。すなわち、実施の形態1で説明した駆動手段５２を、図１８および図１９に示すように、ノズルの前後方向に駆動する第１の移動手段としての進退駆動手段７１に加え、第２の移動手段としてコアンダ効果を利用した自励発振の流体素子１２１を設け、この流体素子１２１により、空気噴流を横方向に移動可能としたものである。図１８は、要部斜視図であり、図１９はエア噴出穴１２１Cを含む断面で切断した断面図である。この進退駆動手段７１の駆動方向と直交する方向に自励発振の流体素子１２１により、エアの噴出方向がＲ，S方向に揺動するように駆動したことを特徴とする。
【０１７２】
図１８は乾燥装置５０における駆動手段５２の要部構成を示す斜視図である。進退駆動手段７１については図５に示した実施の形態１と同様に形成されており、進退方向Ａ，Ｂ方向に移動するように構成されている。説明を省略するが、同一箇所には同一符号を付した。
【０１７３】
この流体素子は、ノズル１２０の内部に形成され加圧空気をエア空洞１２３で搬送するとともに、このエア空洞１２３の先端近傍に、このエア空洞１２３に連通する断面扇形のエア噴射穴１２１Ｃと、このエア空洞１２３の近傍から前記エア噴射穴１２１Ｃの開口端近傍に開口するように、エア噴射穴１２１Ｃの中心に対して対称に配置された細い第１および第２のフィードバック孔１２１Ａ，Ｂとで構成されている。
【０１７４】
この流体素子においては、エア空洞１２３からエア噴射穴１２１Ｃに噴出される噴流は、コアンダ効果によりエア噴射穴１２１Ｃを構成する壁面１２０Aまたは１２０Bに付着しようとする。そして壁面１２０Aに付着した噴流はフィードバック孔１２１Aからの流れにより壁面１２０Aより剥離し壁面１２０Bに付着する。
【０１７５】
一方、壁面１２０Bに付着した噴流はフィードバック孔１２１Bからの流れにより壁面１２０Bより剥離し再び壁面１２０Aに付着する。
【０１７６】
このように噴流は壁面１２０A、１２０B間を自励発振する。
この流体素子を用いることで、駆動源を別途設けることなく、自励発振により、エアの噴出方向を移動することが可能となる。
【０１７７】
なお、本実施の形態では、この流体素子を第２の移動手段として用いたが、前記実施の形態１乃至６において、エア噴射穴にこの流体素子を付加するようにしてもよい。これにより、より効率よく乾燥することが可能となる。
【０１７８】
（実施の形態８）
次に、本発明の第８の実施の形態に係る衛生洗浄装置について説明する。
本実施の形態では、ノズルに付着した水滴を除去するための構成について説明する。
洗浄終了後、ノズルに水滴が付着したままで乾燥工程に入ると、ノズルに付着した水滴がエア噴射穴から噴出されるエアとともに飛ばされ、被乾燥面に付着することがあるが、本実施の形態では、ノズルに付着した水滴を除去するための手段を備えた衛生洗浄装置について説明する。
【０１７９】
図２０（ａ）は本体ケース５０Ｃに収納された乾燥装置５０の概要図、（ｂ）はそのノズル乾燥状態を示す説明図である。
洗浄が終了すると、ノズル２０は図２０（ｂ）に示すように、一旦収納ポジションに入る。
【０１８０】
このとき、ノズルがノズル収納ケース２１Ｃ内に収納された状態においてエア噴出穴２１からエアを噴出するように構成されている。この噴出されたエアはノズル収納ケース２１Ｃとシャッタ９０とで反射され、ノズル外周に付着した水滴を吹き飛ばし、ノズル表面を乾燥する。
【０１８１】
このようにしてノズル乾燥が完了すると、シャッタ９０が開かれ、乾燥されたノズルがノズル収納ケース２１Ｃから進出し、被乾燥面の近傍で進退運動を行うことで乾燥工程に入る。
このようにして、効率よく乾燥を行うことができる。
【０１８２】
なお、このノズル乾燥は、人体洗浄後だけでなく、ノズルクリーニング後の水滴除去に際しても有効である。
【０１８３】
例えば、人がトイレ室から退室して人体検知手段などによる人体検知がされなくなると、洗浄ノズルのノズルクリーニング用のクリーニングノズルにてノズルクリーニング用の水路にクリーニング水が通水される。すると遮蔽手段であるシャッタ９０が便器に臨む方向を遮蔽しかつ、クリーニング用水が便器内へすぐに落下することを防止して、この洗浄水がノズル周囲の汚れを流し除去する。ノズル２０の周囲をクリーニングした水は、シャッタ９０の折れ曲がり部の端部で開口部より汚れとともに便器内に滴下するので問題がない。また、このノズルクリーニングの動作は、洗浄ノズルを使用した後にも必ず行うように構成されてもよく、この場合は排便後にも同様に、排便時に飛散した汚水や汚物が付着した際にも効果的なクリーニングが可能となる。
【０１８４】
また、遮蔽手段であるシャッタ９０のノズル２０に対向する面に、洗浄水がクリーニング水が通水するように、流路となるような溝または水が伝わるようなリブを設けておけば、クリーニング水がノズルの周囲へ効率よく回り込むようにクリーニング水を案内することができる。
【０１８５】
なお、前記実施の形態１乃至６においては、洗浄用と乾燥用とを１本のノズルで構成したものについて説明したが、洗浄用ノズルと乾燥用ノズルとを別途配設してもよいことはいうまでもない。
【産業上の利用可能性】
【０１８６】
以上のように、本発明に係る乾燥装置およびそれを備えた衛生洗浄装置は、少ない空気量でも効率良く水滴を吹き飛ばし、乾燥するので、衛生洗浄装置だけでなく、シャワーや手洗い等で濡れた身体の乾燥にも応用できる。また、食器洗浄機や洗車機、部品洗浄機などの洗浄機における水滴除去や乾燥の用途にも適用できる。
【図面の簡単な説明】
【０１８７】
【図１】本発明の実施の形態１における衛生洗浄装置を便器に装着した状態を示す斜視図
【図２】図１の衛生洗浄装置における遠隔操作装置の一例を示す模式図
【図３】図１の衛生洗浄装置における洗浄水噴出手段の構成を示すブロック図
【図４】図１の衛生洗浄装置における乾燥装置の構成を示すブロック図
【図５】図１の衛生洗浄装置における駆動手段の構成を示す斜視図
【図６】図１の衛生洗浄装置における「おしり洗浄」および「乾燥」運転の制御動作を示すタイムチャート
【図７】（ａ）図１の衛生洗浄装置における「おしり洗浄」の運転状態の模式的断面図（ｂ）同装置における「乾燥」の第１のステップの運転状態の模式的断面図（ｃ）同装置における「乾燥」の第２のステップの運転状態の模式的断面図
【図８】図１の衛生洗浄装置における「乾燥」の第１および第２ステップの被乾燥面の空気噴流の移動パターンを示す模式図
【図９】図１の衛生洗浄装置における「乾燥」の第３および第４ステップの被乾燥面の空気噴流の移動パターンを示す模式図
【図１０】本発明の第２の実施の形態に係る衛生洗浄装置における乾燥装置の乾燥ノズルおよび揺動手段の部分斜視図
【図１１】本発明の第３の実施の形態に係る衛生洗浄装置における「おしり洗浄」および「乾燥」運転の制御動作を示すタイムチャート
【図１２】図１１の衛生洗浄装置における「乾燥」の被乾燥面の空気噴流の移動パターンを示す模式図
【図１３】本発明の第４の実施の形態に係る衛生洗浄装置における「おしり洗浄」および「乾燥」運転の制御動作を示すタイムチャート
【図１４】図１３の衛生洗浄装置における「乾燥」の被乾燥面の空気噴流の移動パターンを示す模式図
【図１５】本発明の第５の実施の形態の衛生洗浄装置における乾燥ノズルと人体との位置関係を示す図
【図１６】本発明の第５の実施の形態の衛生洗浄装置における乾燥ノズルと人体との位置関係を示す図
【図１７】本発明の第６の実施の形態の衛生洗浄装置における乾燥ノズルを示す図
【図１８】本発明の第７の実施の形態の衛生洗浄装置における乾燥ノズルを示す斜視図
【図１９】本発明の第７の実施の形態の衛生洗浄装置における乾燥ノズルを示す断面図
【図２０】本発明の第８の実施の形態の衛生洗浄装置における乾燥ノズル示す図
【図２１】従来の乾燥装置を備えた衛生洗浄装置の模式的平面図
【図２２】従来の乾燥装置を備えた衛生洗浄装置の模式的側断面図
【符号の説明】
【０１８８】
２０、８１  空気噴出部（乾燥ノズル）
３０  洗浄水噴出手段
４０  加熱手段
４２  温風噴出口
５０  乾燥装置
５２  移動手段（駆動手段）
５５  ベース
５５R  ベース
７０、８０  揺動手段
７１  進退駆動手段
７１R  水平駆動手段
１００  衛生洗浄装置
４００  便座部
Ｅ  当接範囲
Ｆ  被乾燥面
Ｇ  中心部
【図１】
0005451068.tif 000002
【図２】
0005451068.tif 000003
【図３】
0005451068.tif 000004
【図４】
0005451068.tif 000005
【図５】
0005451068.tif 000006
【図６】
0005451068.tif 000007
【図７】
0005451068.tif 000008
【図８】
0005451068.tif 000009
【図９】
0005451068.tif 000010
【図１０】
0005451068.tif 000011
【図１１】
0005451068.tif 000012
【図１２】
0005451068.tif 000013
【図１３】
0005451068.tif 000014
【図１４】
0005451068.tif 000015
【図１５】
0005451068.tif 000016
【図１６】
0005451068.tif 000017
【図１７】
0005451068.tif 000018
【図１８】
0005451068.tif 000019
【図１９】
0005451068.tif 000020
【図２０】
0005451068.tif 000021
【図２１】
0005451068.tif 000022
【図２２】
0005451068.tif 000023